【手続補正書】
【提出日】平成19年11月1日(2007.11.1)
【手続補正１】
【補正対象書類名】特許請求の範囲
【補正対象項目名】全文
【補正方法】変更
【補正の内容】
【特許請求の範囲】
【請求項１】
ピペットのディスプレイに表示されるユーザインターフェースを使用する方法において、
（Ａ）  回転運動をピペットの第１面に搭載されたディスクに加えることにより、前記ピペットのディスプレイに表示される複数のアイテム間を移動するステップと、
（Ｂ）  平行運動を前記第１面のディスクに加えることにより、複数のアイテムからあるアイテムを選択するステップと、を有することを特徴とする方法。
【請求項２】
更に、（Ｃ）  回転運動を前記第１面のディスクに加えることにより、前記アイテムを修正するステップと、
（Ｄ）  平行運動を前記第１面のディスクに加えることにより、前記修正されたアイテムを設定するステップと、を有する請求項１記載の方法。
【請求項３】
ピペットのディスプレイに表示されたユーザインターフェースへのユーザの入力に応答する方法において、
（Ａ）  複数のアイテム間での動きを示す第１信号を受領するステップであって、前記第１信号は、回転運動をピペットの第１面に搭載されたディスクに加えることにより、生成され、前記複数のアイテムは、前記ピペットのディスプレイに表示される前記ステップと、
（Ｂ）  前記複数のアイテムから、あるアイテムを選択することを表す第２信号を受信するステップであって、前記第２信号は、平行運動を前記第一面のディスクに加えることにより、生成される前記ステップと、を有することを特徴とする方法。
【請求項４】
更に、（Ｃ）  前記アイテムの修正を示す第３信号を受領するステップであって、前記第３信号は、前記第１面のディスクに加えることにより、生成され、前記複数のアイテムは、前記デバイスのディスプレイに表示される前記ステップと、
（Ｄ）  前記の修正されたアイテムを前記装置に設定することを表す第４信号を受信するステップであって、前記第４信号は、平行運動を前記第一面のディスクに加えることにより、生成される前記ステップと、を有する請求項３記載の方法。
【請求項５】
液体を吸引し放出する装置において、
（Ａ）  サムウィールであって、
（Ａ１）  軸と、
（Ａ２）  装置の面内の前記軸の周囲に回転可能となるように前記軸に搭載され且つ装置の面内で平行移動するディスクと、
（Ａ３）  エンコーダと、
前記エンコーダは、前記軸の周囲でディスクが第１回転をすることを示す第１電気信号を生成するよう構成されたエンコーダであって、前記第１回転は、前記装置の面内で行われる前記エンコーダと、
（Ａ４）  前記装置の面内のディスクの第１平行移動を示す第２電気信号を生成するよう構成されたモーションディテクタと、を有する前記サムウィールと、
（Ｂ）  ディスプレイと、
（Ｃ）  液体を保持する組立体を有するサンプリングチューブと、
（Ｄ）  ディスプレイに接続されたマイクロプロセッサであって、前記マイクロプロセッサは、
（Ｄ０）前記サンプリングチューブ内の液体を調整し、
（Ｄ１）前記第１電気信号を受信し、前記第１電気信号において、前記ディスクの第一回転は、ディスプレイ内に表示された複数のアイテム間の移動を示し、
（Ｄ２）前記第２電気信号を受信し、前記第２電気信号において、前記ディスクの第１平行移動は、ディスプレイに表示された複数のアイテムからのあるアイテムの選択を示す前記マイクロプロセッサと、
を有することを特徴とする装置。
【請求項６】
前記ディスクは、１つあるいは複数のスロットを前記ディスクの表面に有し、前記エンコーダは、光ソースと、光ディテクタとを有する請求項５記載の装置。
【請求項７】
前記光ソースは、フォトダイオードである請求項６記載の装置。
【請求項８】
前記光ディテクタは、フォトディテクタである請求項６記載の装置。
【請求項９】
前記フォトディテクタは、赤外線フォトディテクタである請求項８記載の装置。
【請求項１０】
前記エンコーダは、直交符号化を用いる請求項５記載の装置。
【請求項１１】
前記モーションディテクタは、前記軸に搭載されたスプリングを有し、前記装置の面内に伸びる請求項５記載の装置。
【請求項１２】
前記ディスクは、複数のセクションを有し、
前記複数のセクションは、ディスクの角度基準に対応し、
前記エンコーダは、前記ディスクが回転し、前記複数のセクションの内の１つのセクションを通過したときに、第３電気信号を生成し、
前記マイクロプロセッサは、前記第１電気信号と第３電気信号を用いて、前記軸の周囲のディスクの回転速度を決定する請求項５記載の装置。
【請求項１３】
前記エンコーダは、前記軸の周囲のディスクの第２回転を示す第３電気信号を生成し、
前記モーションディテクタは、前記装置の面内のディスクの第２平行移動を示す第４電気信号を生成し、
前記マイクロプロセッサは、
前記第３信号を受領し、前記第３信号において、前記ディスクの第２回転は、選択されたアイテムの修正を示し、
前記第４信号を受領し、前記第４信号において、前記ディスクの第２平行移動は、修正されたアイテムがデバイスに設定されるべきことを示す請求項５記載の装置。
【請求項１４】
液体を吸引し放出する装置において、
（Ａ）  サンプリングチューブと、
（Ｂ）  ピストン組立体であって、前記ピストン組立体は、前記サンプリングチューブに搭載され、前記サンプリングチューブ内に適合するピストンロッドを有する前記ピストン組立体と、
（Ｃ）  ピストン駆動機構であって、前記ピストン駆動機構は、ピストン組立体に接触する表面を有する制御ロッドを有し、前記ピストン駆動機構は、前記サンプリングチューブ内でピストン組立体のピストンロッドを動かし、これによりサンプリングチューブ内の液体を制御し、前記制御ロッドの表面は、非平面状表面である前記ピストン駆動機構と、
を有することを特徴とする装置。
【請求項１５】
前記非平面状表面は、球状である請求項１４記載の装置。
【請求項１６】
前記ピストン駆動機構は、更に、アクチュエータを有し、前記アクチュエータは、制御ロッドに搭載され、前記制御ロッドを縦軸面で動かす請求項１４記載の装置。
【請求項１７】
前記ピストン駆動機構は、装置のユーザにより手動で制御される請求項１４記載の装置。
【請求項１８】
ピペットを制御する方法において、
（Ａ）  ピペットの通信インターフェースで、コンピュータ装置から直接的に電気信号を受信するステップであって、前記コンピュータ装置は、ピペット内に組み込まれていない前記ステップと、
（Ｂ）  前記受信した電気信号に応答して、前記ピペット内で操作を実行するステップと、を有することを特徴とする方法。
【請求項１９】
液体を吸引し放出する装置において、
（Ａ）  サンプリングチューブと、
（Ｂ）  ピストン組立体であって、前記ピストン組立体は、前記サンプリングチューブに搭載され、前記サンプリングチューブ内に適合するピストンロッドを有する前記ピストン組立体と、
（Ｃ）  ピストン駆動機構であって、前記ピストン駆動機構は、ピストン組立体に接触する表面を有する制御ロッドを有し、前記ピストン駆動機構は、前記サンプリングチューブ内でピストン組立体のピストンロッドを動かし、これによりサンプリングチューブ内の液体を制御する前記ピストン駆動機構と、
（Ｄ）  通信インターフェースであって、前記通信インターフェースは、コンピュータ装置から直接的に電気信号を受信し、前記コンピュータ装置は、ピペット内に組み込まれていない前記通信インターフェースと、
（Ｅ）  マイクロプロセッサであって、前記マイクロプロセッサは、ピストン駆動機構を制御し、前記受信した電気信号に応答して操作を実行する前記マイクロプロセッサと、
を有することを特徴とする装置。
【請求項２０】
前記通信インターフェースは、電気信号をコンピュータ装置に送信する請求項１９記載の装置。
【請求項２１】
前記通信インターフェースは、無線通信インターフェースである請求項１９記載の装置。
【請求項２２】
前記無線通信インターフェースは、IEEE 802.11インターフェースとBluetoothインターフェースからなるグループから選択される請求項２１記載の装置。
【請求項２３】
前記通信インターフェースは、有線通信インターフェースである請求項１９記載の装置。
【請求項２４】
前記有線通信インターフェースは、IEEE 802.11インターフェースとBluetoothインターフェースからなるグループから選択される請求項２３記載の装置。
【請求項２５】
前記操作は、更新搭載されたソフトウエア操作と、連続番号エントリ操作と、校正操作と、生産自動操作と、データ転送操作と、実行プログラム操作と、新規モード組み込み操作と、サービス操作とからなるグループから選択される請求項１９記載の装置。
【請求項２６】
ピペット内の液体を吸引し放出することを制御するシステムにおいて、前記システムはコンピュータ装置を有し、前記コンピュータ装置は、
（Ｘ）  ピペッティグモジュールであって、前記ピペッティグモジュールは、ピペット内で行われる操作を規定するコンピュータコードを有する前記ピペッティグモジュールと、
（Ｙ）  第１通信インターフェースであって、前記第１通信インターフェースは、電気信号をピペットに直接的に送信し、前記電気信号は、ピペット内で行われる操作を規定する前記第１通信インターフェースと、を有し、
前記ピペットは、
（Ａ）  サンプリングチューブと、
（Ｂ）  ピストン組立体であって、前記ピストン組立体は、前記サンプリングチューブに搭載され、前記サンプリングチューブ内に適合するピストンロッドを有する前記ピストン組立体と、
（Ｃ）  ピストン駆動機構であって、前記ピストン駆動機構は、ピストン組立体に接触する表面を有する制御ロッドを有し、前記ピストン駆動機構は、前記サンプリングチューブ内でピストン組立体のピストンロッドを動かし、これによりサンプリングチューブ内の液体を制御する前記ピストン駆動機構と、
（Ｄ）  第２通信インターフェースであって、前記第２通信インターフェースは、コンピュータ装置から電気信号を直接的に受信し、前記コンピュータ装置は、ピペット内に組み込まれていない前記第２通信インターフェースと、
（Ｅ）  マイクロプロセッサであって、前記マイクロプロセッサは、ピストン駆動機構を制御し、前記受信した電気信号に応答して操作を実行する前記マイクロプロセッサと、を有することを特徴とするシステム。